(57)【特許請求の範囲】
【請求項１】
施設の出入口（Ｅ）の床面（Ｆ）と、その出入口（Ｅ）の幅方向両側の側壁部（Ｗ）との間を止水部材（１）で遮蔽することにより、出入口（Ｅ）の奥行き方向に沿って外部側から内部側への水の浸入を防止する浸水防止装置において、
前記側壁部（Ｗ）は、床面（Ｆ）から上方へ立ち上がり外部側へ向く止水用端面（２）と、前記止水用端面（２）よりも内部側に設けられた止水用係止部（Ｇ）とを有し、
前記止水部材（１）には締付部材（１０）が接続されて、前記締付部材（１０）は、前記止水用係止部（Ｇ）に係止される一端係止部（１１）から外部側へ伸びて、前記止水用端面（２）の幅方向内側縁（２ａ）よりも幅方向内側に位置する前記止水部材（１）への接続部である他端係止部（１２）へ至り、前記一端係止部（１１）と前記他端係止部（１２）との間に設けた位置調整手段（２０）により、前記一端係止部（１１）と前記他端係止部（１２）との間の距離が調整可能であり、その調節により前記止水部材（１）を止水用端面（２）に向かって押圧し、
前記締付部材（１０）は、前記他端係止部（１２）又は前記他端係止部（１２）と前記位置調整手段（２０）との間に設けた回動支持部（１６）が備える上下方向の回動軸（１６ａ）周りに前記止水部材（１）に対して回動自在である浸水防止装置。
【請求項２】
前記位置調整手段（２０）は、前記締付部材（１０）の一端側の部材と他端側の部材とを結ぶターンバックルである請求項１に記載の浸水防止装置。
【請求項３】
施設の出入口（Ｅ）の床面（Ｆ）と、その出入口（Ｅ）の幅方向両側の側壁部（Ｗ）との間を止水部材（１）で遮蔽することにより、出入口（Ｅ）の奥行き方向に沿って外部側から内部側への水の浸入を防止する浸水防止装置において、
前記側壁部（Ｗ）は、床面（Ｆ）から上方へ立ち上がり外部側へ向く止水用端面（２）と、前記止水用端面（２）よりも内部側に設けられた止水用係止部（Ｇ）とを有し、
前記止水部材（１）には締付部材（１０）が接続されて、前記締付部材（１０）は、前記止水用係止部（Ｇ）に係止される一端係止部（１１）から外部側へ伸びて、前記止水用端面（２）の幅方向内側縁（２ａ）よりも幅方向内側に位置する前記止水部材（１）への接続部である他端係止部（１２）へ至り、前記他端係止部（１２）に設けた位置調整手段（３０）により、前記一端係止部（１１）と前記止水部材（１）の間の距離が調整可能であり、その調節により前記止水部材（１）を止水用端面（２）に向かって押圧し、
前記締付部材（１０）は、前記他端係止部（１２）に設けた回動支持部（１６）が備える上下方向の回動軸（１６ａ）周りに前記止水部材（１）に対して回動自在である浸水防止装置。
【請求項４】
前記位置調整手段（３０）は、前記締付部材（１０）の一端側の部材と他端側の部材の一方に設けられたボルト孔（３１）と、他方に設けられた奥行き方向の長孔（３２）と、前記ボルト孔（３１）と前記長孔（３２）とに挿通されて一端側の部材と他端側の部材とを奥行き方向任意の相対位置で接合するボルト（３３）及びナット（３４）と、前記止水部材（１）側から前記一端側の部材へ向かってネジ込まれたネジ部材（３５）である請求項３に記載の浸水防止装置。
【請求項５】
前記止水用係止部（Ｇ）は内部側へ向く係止用端面（３）であり、前記締付部材（１０）は、前記係止用端面（３）と前記側壁部（Ｗ）の壁面（４）との間の稜線部（５）から前記他端係止部（１２）まで前記壁面（４）との間に間隔をもって配置される請求項１から４のいずれかに記載の浸水防止装置。
【請求項６】
両側の前記側壁部（Ｗ）の壁面（４）は、内部側から外部側へ向かって徐々に互いの間隔が拡がる形状であり、前記止水用端面（２）の幅方向内側縁（２ａ）は前記稜線部（５）よりも幅方向外側に位置する請求項５に記載の浸水防止装置。
【請求項７】
前記他端係止部（１２）は、前記止水部材（１）に対して幅方向に位置調整可能である請求項１から６のいずれかに記載の浸水防止装置。
【発明の詳細な説明】
【技術分野】
【０００１】
この発明は、建物の出入口や地下道・地下街への出入口、あるいは、エレベータの出入口など、各種施設の出入口に設けられ、豪雨等によって周囲が冠水した際に、その出入口から施設内へ水が流入するのを防止する浸水防止装置に関するものである。
【背景技術】
【０００２】
近年、各種施設の出入口に、豪雨等によって周囲が冠水した場合に備えて、浸水防止装置が設けられる機会が増えている。この種の浸水防止装置は、予め、出入口の床面下や壁面内に止水板や止水幕等の止水部材を埋め込んでおき、必要な時にその止水部材を取り出して、その止水部材で、出入口の幅方向両側に位置する側壁間を遮蔽するものが一般的である（例えば、特許文献１，２参照）。
【先行技術文献】
【特許文献】
【０００３】
【特許文献１】特開２００５−３３０７３９号公報
【特許文献２】特開２００８−１８００６１号公報
【発明の概要】
【発明が解決しようとする課題】
【０００４】
特許文献１，２に記載の浸水防止装置では、出入口の床面下や壁面内に、止水部材を収納するための空間（溝）を設けることが必要である。また、止水部材を、床面や側壁に対して水密に固定するための支持枠や、各種の締め付け装置を設ける必要もある。
【０００５】
これらの装置を設置するには、床面や壁面の加工、支持枠や締め付け装置の据え付け等、大がかりな工事が必要であり、非常にコスト高であるとともに、施工に長期間を要するという問題がある。
【０００６】
また、これらの出入口は、施設によって間口（側壁間の幅）や奥行きがまちまちであり、また、その床面や側壁形状もまちまちである。このため、止水板や止水幕等の止水部材、支持枠や締め付け装置等は、その出入口の間口や奥行き、形状に応じたものを、その都度用意しなければならず、部材の汎用性が低いという問題もある。
【０００７】
そこで、この発明は、施設の出入口に設けられる浸水防止装置をより安価にし、より部材の汎用性を高めることを課題とする。
【課題を解決するための手段】
【０００８】
上記の課題を解決するために、この発明は、施設の出入口の床面と、その出入口の幅方向両側の側壁部との間を止水部材で遮蔽することにより、出入口の奥行き方向に沿って外部側から内部側への水の浸入を防止する浸水防止装置において、前記側壁部は、床面から上方へ立ち上がり外部側へ向く止水用端面と、前記止水用端面よりも内部側に設けられた止水用係止部とを有し、前記止水部材には締付部材が接続されて、前記締付部材は、前記止水用係止部に係止される一端係止部から外部側へ伸びて、前記止水用端面の幅方向内側縁よりも幅方向内側に位置する前記止水部材への接続部である他端係止部へ至り、前記一端係止部と前記他端係止部との間に設けた位置調整手段により、前記一端係止部と前記他端係止部との間の距離が調整可能であり、その調節により前記止水部材を止水用端面に向かって押圧する浸水防止装置を採用した。
【０００９】
このとき、前記位置調整手段は、前記締付部材の一端側の部材と他端側の部材とを結ぶターンバックルである構成を採用することができる。
【００１０】
また、他の構成として、施設の出入口の床面と、その出入口の幅方向両側の側壁部との間を止水部材で遮蔽することにより、出入口の奥行き方向に沿って外部側から内部側への水の浸入を防止する浸水防止装置において、前記側壁部は、床面から上方へ立ち上がり外部側へ向く止水用端面と、前記止水用端面よりも内部側に設けられた止水用係止部とを有し、前記止水部材には締付部材が接続されて、前記締付部材は、前記止水用係止部に係止される一端係止部から外部側へ伸びて、前記止水用端面の幅方向内側縁よりも幅方向内側に位置する前記止水部材への接続部である他端係止部へ至り、前記他端係止部に設けた位置調整手段により、前記一端係止部と前記止水部材の間の距離が調整可能であり、その調節により前記止水部材を止水用端面に向かって押圧する浸水防止装置を採用することができる。
【００１１】
このとき、前記位置調整手段は、前記締付部材の一端側の部材と他端側の部材の一方に設けられたボルト孔と、他方に設けられた奥行き方向の長孔と、前記ボルト孔と前記長孔とに挿通されて一端側の部材と他端側の部材とを奥行き方向任意の相対位置で接合するボルト及びナットと、前記止水部材側から前記一端側の部材へ向かってネジ込まれたネジ部材である構成を採用することができる。
【００１２】
これらの各構成において、前記止水用係止部は内部側へ向く係止用端面であり、前記締付部材は、前記係止用端面と前記側壁部の壁面との間の稜線部から前記他端係止部まで前記壁面との間に間隔をもって配置される構成を採用することができる。
【００１３】
また、両側の前記側壁部の壁面は、内部側から外部側へ向かって徐々に互いの間隔が拡がる形状であり、前記止水用端面の幅方向内側縁は前記稜線部よりも幅方向外側に位置する構成を採用することができる。
【００１４】
これらの各構成において、前記締付部材は、前記他端係止部又は前記他端係止部と前記位置調整手段との間に設けた回動支持部によって前記止水部材に対して回動自在である構成を採用することができる。
【００１５】
これらの各構成において、前記他端係止部は、前記止水部材に対して幅方向に位置調整可能である構成を採用することができる。
【発明の効果】
【００１６】
この発明は、出入り口を遮蔽する止水部材を側壁部の止水用端面に密着させるに際し、側壁部に設けた止水用係止部に係止される一端係止部から止水部材へ接続される他端係止部へ至る締付部材を用い、その締付部材の一端係止部と他端係止部との間、又は、他端係止部に設けた位置調整手段により、一端係止部と他端係止部との間の距離、又は、一端係止部と止水部材との間の距離を調整可能とし、止水部材を止水用端面に向かって押圧するようにした。このため、出入口の間口や奥行き、形状の差異にかかわらず、種々の場所に対応できる浸水防止装置をより安価にし、より部材の汎用性を高めることができる。
【図面の簡単な説明】
【００１７】
【図１】第一の実施形態を示し、（ａ）は平面図、（ｂ）は正面図、（ｃ）は側面図
【図２】同実施形態の要部拡大平面図
【図３】同実施形態の要部拡大側面図
【図４】同実施形態の要部拡大斜視図
【図５】第二の実施形態の要部拡大斜視図
【図６】図５の拡大図
【図７】図５の要部拡大平面図
【発明を実施するための形態】
【００１８】
この発明の実施形態を、図面に基づいて説明する。第一の実施形態を図１〜図４に示す。この第一の実施形態は、主としてエレベータを対象にするものであり、その出入口からエレベータのかご（人が乗るための箱状の構造物）や、あるいは、そのかごが昇降する空間であるピット内へ水が流入するのを防止する浸水防止装置である。ただし、ここでは、エレベータの出入口を例にこの発明の構成を説明しているが、建物や地下施設への出入口等、他の施設の出入口においても適用可能である。
【００１９】
施設の出入口Ｅ付近の構造は、床面Ｆと、その出入口Ｅの幅方向両側に位置する側壁部Ｗとからなる。床面Ｆと両側の側壁部Ｗとで囲まれた空間のうち床面Ｆ寄りの部分を、止水部材１で遮蔽することにより、出入口Ｅの奥行き方向に沿って、施設（エレベータ）の外部側から内部側への水の浸入を防止する。
【００２０】
両側の各側壁部Ｗは、床面Ｆから上方へ立ち上がり外部側へ向く止水用端面２と、止水用端面２よりも内部側に設けられた止水用係止部Ｇとを有する。
【００２１】
この実施形態では、止水用係止部Ｇを、側壁部Ｗの最も内部側（出入口Ｅの奥行き方向内部側。以下同じ。）に位置し、その内部側へ向く係止用端面３としているが、この止水用係止部Ｇを、奥行き方向に沿って側壁部Ｗの壁面４の途中に設けられた凹部や段部等としてもよい。また、この実施形態では、止水用端面２を、側壁部Ｗの最も外部側（出入口Ｅの奥行き方向外部側。以下同じ。）に位置し、その外部側へ向く端面としているが、この止水用端面２を、奥行き方向に沿って側壁部Ｗの壁面４の途中に設けてもよい。
【００２２】
止水部材１には、フラットな矩形の板状部材を採用している。この止水部材１をブロック状の部材等としてもよい。止水部材１の下面は、２重構造のパッキン１ｃ，１ｅを介して床面Ｆに密着する。また、止水部材１の幅方向両側の背面（内部側の面）は、パッキン１ｄを介して止水用端面２に密着する。これにより、止水部材１は、床面Ｆと両側の側壁部Ｗに続く正面視コ字状の範囲で、連続的に密着することができるようになっている。
【００２３】
止水部材１の前面（外部側の面）には、可倒式の支え部１ａが設けられているので、後述の締付部材１０によって、止水部材１が出入口Ｅに強く固定されるまでの間、止水部材１は外部側に倒れないようになっている。また、止水部材１の上端面には把持部１ｂが設けられているので、浸水防止装置の運搬が容易である。
【００２４】
この止水部材１の背面側には、締付部材１０が接続されている。締付部材１０は、止水部材１の幅方向両側にそれぞれ設けられる。
【００２５】
締付部材１０は、図１〜図３に示すように、止水用係止部Ｇに係止される一端係止部１１から止水部材１側、すなわち外部側へ伸びて、止水用端面２の幅方向内側縁２ａよりも幅方向内側に位置する止水部材１への接続部である他端係止部１２へ至る。
【００２６】
一端係止部１１は、締付部材１０の内部寄り側の部材である一端側の部材１４の先端に設けられる断面Ｌ字状のフック部材である。このフック部材が、止水用係止部Ｇに係止される。一端側の部材１４は、一端係止部１１よりも外部側の部分では、止水用係止部Ｇを構成する係止用端面３と側壁部Ｗの壁面４との間の稜線部５よりも幅方向内側に位置し、止水部材１側へ向かって伸びる方向へ配置される。
【００２７】
他端係止部１２は、締付部材１０の外部寄り側の部材である他端側の部材１５と、その他端側の部材１５に設けられる回動支持部１６によって構成されている。この回動支持部１６によって、締付部材１０は、止水部材１に対して回動自在である。締付部材１０は、図２に示すように、止水部材１から内部側へ向かう方向（止水部材１の面方向に対して直交する方向あるいはそれに近い方向）と、止水部材１の幅方向に沿う方向（止水部材１の面方向と平行な方向あるいはそれに近い方向）との間で回動自在である。
【００２８】
他端側の部材１５は、図４に示すように、止水部材１の板面に平行に配置される平行部１５ａと、その平行部１５ａから内部側へ立ち上がる立上部１５ｂとからなる断面Ｌ字状の板状部材で構成される。回動支持部１６は、上下方向の回動軸１６ａと、その回動軸１６ａ周りに回動自在の対の回動部材１６ｂとからなる。対の回動部材１６ｂの一方は、保持部１６ｃによって他端側の部材１５の立上部１５ｂを保持している。対の回動部材１６ｂの他方は、ボルトやリベット等の固定手段１６ｄによって止水部材１に固定されている。このため、対の回動部材１６ｂの一方と他端側の部材１５とは一体に回動軸１６ａ周りに回動する。これにより、前述のように、締付部材１０は止水部材１に対して回動自在（起伏自在）である。
【００２９】
締付部材１０が回動して止水部材１に対して所定の角度で立ち上がった際に、止水部材１の外部側から内部側へ貫通して設けたネジ部材１３のネジ軸部１３ａを、他端係止部１２のナット部材１２ａにネジ込むことにより、締付部材１０はその立ち上がった状態に固定される。ネジ部材１３のネジ軸部１３ａを回転させるのは、操作部１３ｂを手で回すことにより可能である。
【００３０】
また、一端係止部１１と他端係止部１２との間には、位置調整手段２０が設けられている。位置調整手段２０により、一端係止部１１と他端係止部１２との間の距離を調整可能である。この距離の調節により、出入口Ｅの止水用端面２に宛がわれた止水部材１をその止水用端面２に向かって押圧し、密着度合いを高めることができるので、所定の止水性能を発揮することができる。
【００３１】
この実施形態の位置調整手段２０は、締付部材１０の一端側の部材１４と他端側の部材１５とを結ぶターンバックルである。
【００３２】
ターンバックルの構成は、一端側の部材１４に設けられる一端雌ネジ部２２と、他端側の部材１５に設けられる他端雌ネジ部２３と、両者を連結するターンバックルネジ軸部２１とからなる。ターンバックルネジ軸部２１の両端にはそれぞれ雄ネジ部が形成されている。一端側の雄ネジ部と他端側の雄ネジ部とは互いに逆ネジとなっている。また、それに対応して、一端雌ネジ部２２と他端雌ネジ部２３も互いに逆ネジとなっている。
【００３３】
このため、ターンバックルネジ軸部２１を軸周り一方向へ回転させれば、一端雌ネジ部２２と他端雌ネジ部２３とが引き寄せられ、一端側の部材１４と他端側の部材１５との距離が短くなるように調整できる。また、ターンバックルネジ軸部２１を軸周り他方向へ回転させれば、一端雌ネジ部２２と他端雌ネジ部２３とが引き離され、一端側の部材１４と他端側の部材１５との距離が長くなるように調整できる。この長さ調整の操作は、ターンバックルネジ軸部２１に対して一端側の部材１４を一方向又は他方向へ相対回転させたり、ターンバックルネジ軸部２１に対して他端側の部材１５を一方向又は他方向へ相対回転させることによっても可能である。
【００３４】
このため、止水部材１を、出入口Ｅの床面Ｆの全長と両側の側壁部Ｗに続く正面視コ字状の範囲に連続的に宛がい、一端係止部１１を止水用係止部Ｇに係止し、位置調整手段２０によって一端側の部材１４と他端側の部材１５との間の距離が短くなるように引き寄せれば、止水部材１は、床面Ｆと両側の側壁部Ｗに密着し、所定の止水性能を発揮することができる。これにより、施設の出入口Ｅを通じて外部側から内部側へ水が流れ込むことを防止することができる。
【００３５】
このとき、前述のように、締付部材１０は、一端係止部１１よりも外部側において、係止用端面３と側壁部Ｗの壁面４との間の稜線部５から、止水部材１側の他端係止部１２に至るまでの間、壁面４との間に間隔をもって配置されている。また、他端係止部１２は、止水用端面２の幅方向内側縁２ａよりも幅方向内側に位置するので、このような止水部材１の固定構造を実現できる。また、その締付部材１０の長さ（固定状態における奥行き方向への長さ）は、位置調整手段２０によって調整可能である。このため、出入口Ｅの間口（幅）や奥行き、側壁部Ｗの形状、長さ等にかかわらず、一つの浸水防止装置を種々の出入口Ｅの止水に用いることができる。
【００３６】
また、締付部材１０を壁面４との間に間隔をもって配置し、他端係止部１２を止水用端面２の幅方向内側縁２ａよりも幅方向内側に位置させたので、この実施形態のエレベータの例のように、両側の側壁部Ｗの壁面４が、出入口Ｅの奥行き方向に沿って、内部側から外部側へ向かって徐々に互いの間隔が拡がる形状である場合にも、止水部材１を出入口Ｅに容易に固定できる。
【００３７】
締付部材１０の止水部材１への接続部である他端係止部１２は、止水部材１に対して幅方向に位置調整可能とすると便利である。例えば、回動支持部１６の回動部材１６ｂを止水部材１に対してボルト及びナット等の固定手段１６ｄによって固定する構造とし、その固定箇所を、止水部材１の幅方向に沿って予め設定された複数箇所の中から一つを選択するようにすることができる。このとき、締付部材１０を立ち上げた状態に固定するネジ部材１３は、その設定された複数箇所に対応して、それぞれの位置で他端係止部１２にねじ込み可能にするとよい。
【００３８】
上記のように、この発明によれば、出入口Ｅの間口や奥行き、側壁部Ｗの形状、長さ等の差異にかかわらず、種々の場所に対応できる浸水防止装置をより安価に実現し、また、より部材の汎用性を高めることができる。
【００３９】
第二の実施形態を、図５〜図７に示す。第二の実施形態の主たる構成は第一の実施形態と共通するので、以下、第一の実施形態との差異点を中心に説明する。
【００４０】
この第二の実施形態の施設の出入口Ｅ付近の構造は、主として、引き戸構造の扉を有する出入口Ｅを対象とするものである。その出入口Ｅの構造は、図５に示すように、床面Ｆと、その出入口Ｅの幅方向両側に位置する角柱状の側壁部Ｗとからなる。床面Ｆと両側の側壁部Ｗとで囲まれた空間のうち床面Ｆ寄りの部分を、止水部材１で遮蔽することにより、出入口Ｅの奥行き方向に沿って、引き戸構造を挟んで施設の外部側（図５の奥側）から内部側（図５の手前側）への水の浸入を防止する。引き戸Ｄは、図７に示すように、側壁部Ｗよりも施設内側に位置している。
【００４１】
両側の各側壁部Ｗが、床面Ｆから上方へ立ち上がり外部側へ向く止水用端面２と、止水用端面２よりも内部側に設けられた止水用係止部Ｇとを有する点については、前述の実施形態と同様である。止水用係止部Ｇは、前述の実施形態と同様、側壁部Ｗの最も内部側に位置し、その内部側へ向く係止用端面３としているが、この止水用係止部Ｇを、奥行き方向に沿って側壁部Ｗの壁面４の途中に設けられた凹部や段部等としてもよい点も同様である。
【００４２】
止水部材１の下面は、パッキン１ｃ，１ｅを介して床面Ｆに密着する。また、止水部材１の幅方向両側の背面は、パッキン１ｄを介して止水用端面２に密着する。これにより、止水部材１は、床面Ｆと両側の側壁部Ｗに続く正面視コ字状の範囲で、連続的に密着することができる。
【００４３】
この止水部材１の背面側（内部側の面）に接続される締付部材１０は、止水部材１の幅方向両側にそれぞれ設けられる。
【００４４】
締付部材１０は、図５〜図７に示すように、止水用係止部Ｇに係止される一端係止部１１から止水部材１側、すなわち外部側へ伸びて、止水用端面２の幅方向内側縁２ａよりも幅方向内側に位置する止水部材１への接続部である他端係止部１２へ至る。
【００４５】
一端係止部１１は、締付部材１０の内部寄り側の部材である一端側の部材１４の先端に設けられる断面Ｌ字状のフック部材である。このフック部材が、止水用係止部Ｇに係止される。一端側の部材１４は、一端係止部１１よりも外部側において、係止用端面３と側壁部Ｗの壁面４との間の稜線部５よりも幅方向内側に位置し、止水部材１側へ向かって伸びる方向へ配置される。
【００４６】
他端係止部１２は、締付部材１０の外部寄り側の部材である他端側の部材１５によって構成されている。この他端側の部材１５は回動支持部１６を構成しており、締付部材１０は回動支持部１６を介して止水部材１に対して回動自在である。締付部材１０は、止水部材１から内部側へ向かう方向（止水部材１の面方向に対して直交する方向あるいはそれに近い方向）と、止水部材１の幅方向に沿う方向（止水部材１の面方向と平行な方向あるいはそれに近い方向）との間で回動自在である。
【００４７】
回動支持部１６は、上下方向の回動軸１６ａと、その回動軸１６ａ周りに回動自在の対の回動部材１６ｂとからなる。対の回動部材１６ｂの一方は一端側の部材１４に接続され、対の回動部材１６ｂの他方は、ボルトやリベット等の固定手段１６ｄによって止水部材１に固定されている。
【００４８】
締付部材１０が回動して止水部材１に対して所定の角度で立ち上がった際に、止水部材１の外部側から内部側へ貫通して設けたネジ部材１３のネジ軸部１３ａを、一端側の部材１４に設けたナット部材１２ａにネジ込むことにより、締付部材１０は立ち上がった状態に固定される。ネジ部材１３のネジ軸部１３ａを回転させるのは、操作部１３ｂを手で回すことにより可能である。
【００４９】
なお、締付部材１０の止水部材１への接続部である他端係止部１２は、止水部材１に対して幅方向に位置調整可能である。回動支持部１６の他方の回動部材１６ｂが、止水部材１に設けたスライド保持部材１７によってスライド自在に保持されている。他方の回動部材１６ｂを止水部材１の幅方向に沿って移動させ、任意の位置でビス等の固定手段１６ｄによって固定する。このとき、締付部材１０を立ち上げた状態に固定するネジ部材１３は、その設定された箇所に対応して、止水部材１及びナット部材１２ａにねじ込み可能となるよう、止水部材１やスライド保持部材１７に長孔を設けるとよい。
【００５０】
また、他端係止部１２と止水部材１との間には、位置調整手段３０が設けられている。この実施形態において、位置調整手段３０は、一端側の部材１４を止水部材１０に対して引き寄せる方向へ相対移動させることができ、また、その逆方向へ相対移動させることができるネジ部材（ネジ式調整部材）３５を採用している。ネジ式調整部材３５の操作部１３ｂを軸周り一方向に回転させれば、一端側の部材１４の一端係止部１１が止水部材１０に引き寄せられ、軸周り他方向へ回せば、一端側の部材１４の一端係止部１１が止水部材１０から遠ざかる。ネジ式調整部材３５としては、この実施形態では、締付部材１０を立ち上がった状態に固定するネジ部材１３を兼用しているが、これをネジ部材１３とは別に設けてもよい。
【００５１】
このとき、一端側の部材１４に設けられた断面円形のボルト孔３１と、他端側の部材１５に設けられた奥行き方向に伸びる長孔３２とにボルト３３が挿通されて、ナット３４で締め付けることにより、一端側の部材１４と他端側の部材１５とが固定される。このため、一端側の部材１４と他端側の部材１５とを、奥行き方向任意の相対位置で強固に接合することができる。また、ネジ式調整部材３５による距離調整時には、ナット３４を緩めておくことで、一端側の部材１４と他端側の部材１５との奥行き方向への相対移動がガイドされる。
【００５２】
なお、前述のように、一端側の部材１４に断面円形のボルト孔３１を、他端側の部材１５に長孔３２を設けてもよいし、逆に、他端側の部材１５に断面円形のボルト孔３１を、一端側の部材１４に長孔３２を設けてもよい。あるいは、一端側の部材１４と他端側の部材１５の両方に、奥行き方向へ伸びる長孔を設けてもよい。
【００５３】
位置調整手段３０により、一端係止部１１と止水部材１０との間の距離を調節することにより、止水部材１を止水用端面２に向かって押圧し、その密着度合いを高めることができるので、所定の止水性能を発揮することができる。
【００５４】
以上の各実施形態のように、この発明では、止水部材１を、出入口Ｅの床面Ｆの全長と両側の側壁部Ｗに続く正面視コ字状の範囲に連続的に当接させ、一端係止部１１を止水用係止部Ｇに係止し、位置調整手段２０，３０によって一端側の部材１４と止水部材１との間の距離が短くなるように引き寄せれば、止水部材１は、床面Ｆと両側の側壁部Ｗに密着し、所定の止水性能を発揮することができる。これにより、施設の出入口Ｅを通じて外部側から内部側へ水が流れ込むことを防止することができる。
【００５５】
また、締付部材１０は、係止用端面３と側壁部Ｗの壁面４との間の稜線部５から、止水部材１側の他端係止部１２に至るまでの間、壁面４との間に間隔をもって配置され、他端係止部１２は、止水用端面２の幅方向内側縁２ａよりも幅方向内側に位置し、締付部材１０の長さ（固定状態における奥行き方向への長さ）は、位置調整手段２０，３０によって調整可能であるので、出入口Ｅの間口（幅）や奥行き、側壁部Ｗ等にかかわらず、一つの浸水防止装置を種々の出入口Ｅの止水に用いることができる。
【符号の説明】
【００５６】
１  止水部材
２  止水用端面
２ａ  幅方向内側縁
３  係止用端面
４  壁面
５  稜線部
１０  締付部材
１１  一端係止部
１２  他端係止部
１２ａ  ナット部材
１３  ネジ部材
１３ａ  ネジ軸部
１３ｂ  操作部
１４  一端側の部材
１５  他端側の部材
１６  回動支持部
１６ａ  回動軸
１６ｂ  回動部材
１７  スライド保持部材
２０  位置調整手段
２１  ターンバックルネジ軸部
２２  一端雌ネジ部
２３  他端雌ネジ部
３０  位置調整手段
３１  ボルト孔
３２  長孔
３３  ボルト
３４  ナット
３５  ネジ部材
Ｅ  出入口
Ｆ  床面
Ｇ  止水用係止部
Ｗ  側壁部
【図１】
0006514558.tif 000002
【図２】
0006514558.tif 000003
【図３】
0006514558.tif 000004
【図４】
0006514558.tif 000005
【図５】
0006514558.tif 000006
【図６】
0006514558.tif 000007
【図７】
0006514558.tif 000008